(57)【要約】【課題】指輪をペンダントヘッドとして使用するに際して、指輪に何らの細工を施すことなく、指輪の側面が正面側に向いてしまうことを防止することを可能にしたバチカンを提供すること。【解決手段】本体部（３）と、該本体部（３）の一端側に連設した固定側鎖貫通部（４）と、前記本体部（３）の他端側に連設した係止部（５）と、を有した固定側部材（２）と、前記係止部（５）に回動自在に連結した可動側部材（６）と、を具備し、前記可動側部材（６）は、基端側に形成した、前記係止部（５）に回動自在に連結される連結部（７）と、先端側に形成した可動側鎖貫通部（９）を備えるとともに、可動側鎖貫通部（９）を前記固定側鎖貫通部（２）に重ね合わせることにより前記本体部（３）との間に係止空間（１１）を形成可能にした、ことを特徴とする。【選択図】図１
0003111806.tif 000002
【実用新案登録請求の範囲】
【請求項１】
本体部（３）と、該本体部（３）の一端側に連設した固定側鎖貫通部（４）と、前記本体部（３）の他端側に連設した係止部（５）と、を有した固定側部材（２）と、
前記係止部（５）に回動自在に連結した可動側部材（６）と、を具備し、
前記可動側部材（６）は、基端側に形成した、前記係止部（５）に回動自在に連結される連結部（７）と、先端側に形成した可動側鎖貫通部（９）を備えるとともに、可動側鎖貫通部（９）を前記固定側鎖貫通部（２）に重ね合わせることにより前記本体部（３）との間に係止空間（１１）を形成可能にした、ことを特徴とするバチカン。
【請求項２】
前記本体部（３）における反固定側鎖貫通部（４）側に装飾体（１４）を連結したことを特徴とする請求項１に記載のバチカン。
【考案の詳細な説明】
【技術分野】
【０００１】
本考案はバチカンに係り、より詳しくは、指輪等のリング状部材をチェーンに吊着するに際して、指輪等に何らの細工を施すことなく、指輪等の側面が正面側に向いてしまうことを有効に防止可能としたバチカンに関する
【背景技術】
【０００２】
一般的に、ネックレスはチェーンとこのチェーンに吊り下げるペンダントヘッドにより構成されるが、その他、チェーンに指輪を吊り下げてネックレスにすることも行われる。
【０００３】
即ち、当然のことながら指輪は指に嵌めるものであるが、指輪のサイズが指に合わなくなってしまった場合や、水仕事をする場合のように指輪を指に嵌めることが好ましくないときには、指輪にチェーンを通してペンダントヘッドとして用いることもある。
【０００４】
しかしながら、単に指輪にチェーンを通した場合には、チェーンを首から吊り下げると、指輪の側面が正面側に向いてしまうという欠点がある。
【０００５】
このとき、過去において、ペンダントヘッドを自由に交換可能にしたバチカンが提案されており、このバチカンを用いて指輪をチェーンに連結する方法も考えられ、この方法によれば、指輪の側面が正面側に向いてしまうことを防止することも可能であるが、従来から提案されているバチカンでは、バチカンを指輪に連結するために指輪に細工を施さなければならないため、指輪を一時的にペンダントヘッドとして使用することには適さない。
【０００６】
即ち、指輪のサイズが合わなくなったためにペンダントヘッドにする場合には格別、指輪を指に嵌めることが好ましくないために一時的にペンダントヘッドにしている場合には、その後にその指輪をチェーンから外して指に嵌め直すことが予定されるが、このとき、バチカンを連結するために指輪に細工を施してしまった場合には、その後にその指輪を指に嵌めることができず、そのために、指輪本来の機能を果たすことができなくなってしまうという問題点が考えられる。
【特許文献１】特開平９−２８４３０号公報
【考案の開示】
【考案が解決しようとする課題】
【０００７】
そこで、本考案は、指輪をペンダントヘッドとして使用するに際して、指輪に何らの細工を施すことなく、指輪の側面が正面側に向いてしまうことを防止することを可能にしたバチカンを提供することを課題としている。
【課題を解決するための手段】
【０００８】
本考案のバチカンは、本体部と、この本体部の一端側に連設した固定側鎖貫通部と、前記本体部の他端側に連設した係止部と、を有した固定側部材と、
前記係止部に回動自在に連結した可動側部材と、を具備し、
前記可動側部材は、基端側に形成した、前記係止部に回動自在に連結される連結部と、先端側に形成した可動側鎖貫通部を備えるとともに、可動側鎖貫通部を固定側鎖貫通部に重ね合わせることにより前記本体部との間に係止空間を形成可能にした、ことを特徴としている。
【考案の効果】
【０００９】
本考案のバチカンでは、本体部の一端側に固定側鎖貫通部を有する固定側部材と、先端側に可動側鎖貫通部を有する可動側部材とを有しており、可動側部材はその基端側において固定側部材に回動自在に連結されている。そして、可動側部材の鎖貫通部を固定側部材の鎖貫通部に重ね合わせることにより、可動側部材と本体部との間に係止空間を形成可能にしている。
【００１０】
そのために、係止空間を介して指輪を吊り下げつつ、可動側部材の鎖貫通部及び固定側部材の鎖貫通部にチェーンを通すことにより、指輪をペンダントヘッドにすることができるとともに、そのときに、指輪には何らの細工を施すことなく、その側面が正面側に向いてしまうことを防止することが可能である。
【考案を実施するための最良の形態】
【００１１】
本考案のバチカンでは、固定側部材と可動側部材とを有しており、固定側部材は、任意の装飾的な形状とした本体部を有しており、この本体部の一端側には固定側鎖貫通部を備え、本体部の他端側には、可動側部材が回動自在に連結される係止部を有している。
【００１２】
また、可動側部材は、前記係止部に回動自在に連結される連結部を基端側に有しているとともに、その先端側には可動側鎖貫通部を有している。
【００１３】
そして、可動側部材における可動側鎖貫通部を固定側部材の固定側鎖貫通部に重ね合わせることにより、本体部と可動側部材との間に、可動側部材に指輪を吊り下げることを可能とする係止空間を形成可能にしている。
【００１４】
ここで、前記本体部における反固定側鎖貫通部側に任意のデザイン的装飾を施した装飾体を連結するとよく、これにより、この装飾体を指輪とともにペンダントヘッドにすることが可能となる。
【実施例１】
【００１５】
本考案のバチカンの実施例について図面を参照して説明すると、図１は、本実施例のバチカンの正面図であり、また、図２は、本実施例のバチカンの側面図であり、図において１が本実施例のバチカンである。そして、本実施例のバチカン１は、固定側部材と、この固定側部材に回動自在に連結された可動側部材とにより構成されている。
【００１６】
ここで、前記固定側部材について説明すると、図において２が固定側部材であり、また、図３は固定側部材２の側面図であり、本実施例において固定側部材２は、正面形状を略ハート型にした本体部３を有しており、この本体部３の一端側（以下「先端側」という）には、ネックレスのチェーンを貫通可能な貫通空間４０１を備えた固定側鎖貫通部４を有している。そして、本実施例において前記固定側鎖貫通部４は、本体部３の下面側に、その一部が本体部３の先端側から露出する配置において突設されている。
【００１７】
また、前記本体部３の他端側（以下「基端側」という。）の裏面には、前記可動側部材が連結される係止部５が形成されており、本実施例においてこの係止部５は、無端のリング状としており、本体部３の下側に突設する配置で形成されている。そして、本実施例においては、この固定側部材２を、金属製にするとともに一体成形している。
【００１８】
次に、前記可動側部材について説明すると、図２において６が可動部材であり、また、図４は前記可動側部材６の側面図であり、本実施例において可動側部材６は、全体として変形させた棒状としており、前記係止部５に連結される連結部７を基端側に有しており、この連結部７を略鉤形状にすることにより、可動側部材６を、前記係止部５に回動自在に連結可能としている。
【００１９】
また、可動側部材６の先端側には、ネックレスのチェーンが貫通する貫通空間９０１を有する可動側鎖貫通部９が形成されており、この可動側鎖貫通部９と前記固定側鎖貫通部４とを重ね合わせることにより鎖貫通部空間１０を形成可能にしている。
【００２０】
次に、前記可動側部材６において前記連結部７と可動側鎖貫通部９との間に位置する部分について説明すると、本実施例においては、前記連結部７から本体部３の下側へ延長させた第１の連通部８０１と、この第１の連通部の先端側から本体部３の先端側へ延長させた第２の連通部８０２とにより、連結部７と可動側鎖貫通部９とを連通する連通部８を形成している。そしてこれにより、可動側鎖貫通部９を固定側鎖貫通部４と重ね合わせた状態において、本体部３の下面と連通部８との間に、前記鎖貫通部空間１０と同一方向へ向いた開口を有する係止空間１１が形成されるようにし、可動側部材６に指輪を吊り下げることを可能にしている。
【００２１】
但し、可動側部材６の連通部８は必ずしもこのような形状に形成する必要はなく、可動側鎖貫通部９を固定側鎖貫通部４と重ね合わせた状態において、本体部３の下面と連通部８との間に、鎖貫通部空間１０と同一方向へ向いた開口を有する係止空間１１が形成されるようにしてあればよく、従って、例えば連通部８を湾曲形状としてもよい。
【００２２】
次に、このように構成される本実施例のバチカン１の作用について説明すると、本実施例のバチカン１を用いて指輪をチェーンに吊り下げる場合には、まず、図２の状態において、可動側部材６を下側に可動させて、図５に示すように、係止空間１１を開放する。
【００２３】
そして、この状態において、可動側部材６に指輪１３を吊り下げつつ、可動側部材６を元の位置に戻すとともに、可動側鎖貫通部９と固定側鎖貫通部４とを重ね合わせて鎖貫通空間１０を形成して、この鎖貫通空間１０にチェーン１２を通す。この状態を正面側から示した図が図６であり、この状態においては、チェーン１２が鎖貫通空間１０を貫通し、可動側鎖貫通部９と固定側鎖貫通部４とが重ね合わさった位置で固定されるために、可動側部材６が開くことがなく、従って、指輪１３が外れることもない。また、係止空間１１は、鎖貫通空間１０と同一方向へ向いた開口を有しているために、チェーン１２が鎖貫通空間１０を貫通する向きと指輪が係止空間１１を貫通する向きとが同一となり、これにより、指輪の側面が正面側に向いてしまうことを防止することができる。更に、指輪１３は可動側部材６に吊り下げるのみであるために、指輪には何らの細工をする必要もない。
【００２４】
このように、本実施例のバチカンを用いることにより、指輪に何らの細工を施すことなく、しかも、指輪の側面が正面側に向くことなく、指輪をペンダントヘッドとしてチェーンに吊り下げることが可能となる。
【００２５】
なお、ここで、図７は、本考案の他の形態を示す図であり、図７に示す例では、任意の装飾的デザインに形成した装飾体１４を本体部３における反固定側鎖貫通部４側の端部近傍に吊り下げた形態としている。そして、これにり、指輪１３をペンダントヘッドとして用いることができるとともに、更に、装飾体１４によって指輪１３の内径側を飾ることも可能となる。
【産業上の利用可能性】
【００２６】
本考案のバチカンでは、ネックレスのチェーンが貫通する貫通空間と指輪を吊り下げるための係止空間とを有して、指輪に何らの細工をすることなく、指輪の側面が正面側に向くことなくチェーンに吊り下げることを可能としているために、ペンダントヘッドをチェーンに吊り下げるためのバチカンの全般に適用可能である。
【図面の簡単な説明】
【００２７】
【図１】本考案のバチカンの実施例の正面図である。
【図２】本考案のバチカンの実施例の側面図である。
【図３】本考案のバチカンの実施例における固定側部材を説明するための図である。
【図４】本考案のバチカンの実施例における可動側部材を説明するための図である。
【図５】本考案のバチカンの実施例の作用を説明するための図である。
【図６】本考案のバチカンの実施例を用いてチェーンに指輪を吊り下げた状態を示す正面図である。
【図７】本考案のバチカンの他の形態を用いてチェーンに指輪を吊り下げた状態を示す正面図である。
【符号の説明】
【００２８】
１    バチカン
２    固定側部材
３    本体部
４    固定側鎖貫通部
５    係止部
６    可動側部材
７    連結部
８    連通部
９    可動側鎖貫通部
１０    貫通空間
１１    係止空間
１２    チェーン
１３    指輪
１４    装飾体
【図１】
0003111806.tif 000003
【図２】
0003111806.tif 000004
【図３】
0003111806.tif 000005
【図４】
0003111806.tif 000006
【図５】
0003111806.tif 000007
【図６】
0003111806.tif 000008
【図７】
0003111806.tif 000009